(57)【特許請求の範囲】
【請求項１】
回動停止用半割円盤から第１外向突設アームを延出してなる第１回動体と、回動用半割円盤から第２外向突設アームを延出してなる第２回動体とを具備し、上記回動停止用半割円盤の第１開口端面に、前記回動用半割円盤の第２開口端面を突き合わせ状態として、第１回動体の第１軸口と第２回転体の第２軸口に跨装した回動軸により、当該第１、第２回動体を回動自在なるよう軸承し、上記第１回動体の回動停止用半割円盤と第２回動体の回動用半割円盤との間にあって、第１回動体に対して第２回動体を所望のアーム回動角度に調節自在とした回動角度調節機構を備えてなるアームの回動角度調節装置において、上記の回動角度調節機構が、第２回動体における回動停止用半割円盤に刻設した内周歯型と、第１回動体における回動停止用半割円盤の第１周壁に開設した通口にあって、径方向へ押入自在にして抜け止め状態で嵌装した停止用操作子と、当該停止用操作子と同上回動停止用半割円盤の前記第１軸口を有する第１軸筒部との間に跨装した復帰要スプリングと、上記の停止用操作子が復帰用スプリングにより押圧されている状態では、前記回動停止用半割円盤に刻設した前記内周歯型に係止して第２回動体の回動が阻止自在であり、かつ上記停止用操作子の押入操作で上記の係止を解除自在とした回動係止爪とを具有すると共に、前記した第１軸口の開口された第１軸筒部に被嵌自在としたリング部と、当該リング部に連設されて、前記の復帰用スプリングが、第１軸筒部と上記した停止用操作子との間にあって配装されることにより、当該復帰用スプリングを外れ止め状態に被装したカバー部とからなる着脱被嵌部材とによって構成されていることを特徴とするアームの回動角度調節装置。
【請求項２】
着脱被嵌部材と、第２軸口の開口された第２軸筒部における第２内装押当面が摺動自在である第１軸筒部の第１内装押当面から、第１軸口にわたって、形成の表皮層との一方または双方が、合成樹脂材により形成されている請求項１に記載したアームの回動角度調節装置。
【発明の詳細な説明】
【０００１】
【発明の属する技術分野】
本発明は自由端部側に所定物を取着したり懸吊して用いられるスタンドにあって、当該スタンドを構成するアームの所望箇所に介設することにより、当該アームの折曲角度を回動操作によって所要角度に調節することで、上記所定物を所望の位置には配置できるようにしたアームの回動角度調節装置に関する。
【０００２】
【従来の技術】
図８によって理解される通り、既に基盤Ａ等から立装したスタンドａを、アームｂ１、ｂ２、ｂ３と、これらを連設したアームの回動角度調節部材ｃ１、ｃ２とにより構成し、自由端部としてのアームｂ３には所定物を係吊したり、取着するための連係部材ｄを設けるようにしたものが知られている。
しかし、上記したアームの回動角度調節部材ｃ１、ｃ２なるものは図９と、さらに図１０により明示の如く、第１半割円盤ｄ１と第２半割円盤ｄ２とを、回転軸ｅにより、回動自在なるよう突き合わせ状態となし、当該第１、第２半割円盤ｄ１、ｄ２からは、夫々第１、第２突設アームｆ１、ｆ２を延設させ、これにアームｂ１、ｂ２、ｂ３を連設するようにしているが、この際第１、第２半割円盤ｄ１、ｄ２を適宜角度だけ回動させた状態で、当該回動位置を保持させるためのアーム回動角度調節装置Ｂとしては、図１０に明示の如きものが採択されている。
【０００３】
すなわち、上記した第１半割円盤ｄ１には、その第１内周壁ｇに添って、多数の通孔ｇ１が回転軸ｅと平行状に穿設されていると共に、当該通孔ｇ１には押圧スプリングｇ２と、これにより弾圧されているボールｇ３とが内装されている。一方第２半割円盤ｄ２には、その第２内周壁ｈに添って受承板ｈ１が周設され、これには多数の受承用孔ｈ２が穿設されることで、前記したボールｇ３が押圧スプリングｇ２による押圧により、上記受承用孔ｈ２に係脱自在なるよう係嵌された構成となっている。
【０００４】
上記の通り従来例によるときは、その第１、第２突設アームｆ１、ｆ２の角度すなわちアームの回動角度を調整して、図９に示されている実線の如く互いに当該各アームｆ１、ｆ２の回動角度αを９０°としたり、またこれらを破線で示す位置までにおける所望の回動角度αとなるようにするのであるが、そのためには第２突出アームｆ２等に対して比較的大きな力を付加することで、押圧スプリングｇ２の弾発力に抗してボールｇ３を通孔ｇ１内に押動して、当該ボールｇ３を受承用孔ｈ２から離脱させた後、第２突出アームｆ２を所要の回動角度αだけ回動して、選定された別の受承用孔ｈ２に当該ボールｇ３を一斉に落入係嵌させるのである。
【０００５】
【発明が解決しようとする課題】
上記従来技術によるときは、単に第１、第２突設アームｆ１、ｆ２の一方を回動操作するだけで、アームの回動角度を調整できるので、その操作性は良好であるが、外的な荷重が大きくなったときには、ボールｇ３が押圧スプリングｇ２の押圧力に抗して受承用孔ｈ２から不本意に通孔ｇ１内へ没入してしまい、アームの固定機能が失われてしまう危険性がある。
しかもある程度以上の期間使用すると押圧スプリングｇ２に基づく固定力が減殺されて行き、この結果固定したい箇所にあってもボールｇ３の停止状態が保持できなくなってしまといった欠陥をも有している。
【０００６】
本発明は上記従来の難点に鑑み検討されたもので、従来のものと同様にして第１回動体の回動停止用半割円盤と第２回動体の回動用半割円盤とを回動軸によつて突き合わせ状態により回動自在な構成を有し、かつ上記の回動停止用半割円盤と回動用半割円盤との間にあって、回動角度調節機構を連装することになる。
しかし、上記回動角度調節機構なるものの構成が従来品と異質であり、第１、第２回転体が所定の回動角度にあってロック状態にあるときには、回動停止用半割円盤の第１軸筒部に支持された復帰用スプリングにより押圧されている回動停止用半割円盤側の停止用操作子における回動係止爪が、回動用半割円盤に設けた内周歯型の所望箇所に係止されることで、当該ロック状態が保持されるよう構成する。かくて大きな外力が付加されても、内周歯型と回動停止爪との係止状態が解除されないようにして、不本意なる第１、第２回動体の係止離脱による転動を、高い信頼性をもって防止し得るようにするのが第１の目的である。
【０００７】
次に、上記のロック状態を解くときには、前記した係止用操作子を復帰用スプリングの弾発力に抗して押入操作することで、停止用操作子の回動係止爪を、回動用半割円盤における前記した内周歯型から脱出させ、これにより第１、第２回動体を自由に回動できるようにする。そして第２回動体等を所望の回動角度だけ回動させた後にあって、上記回動操作子の押動を解除することで、これを復帰用スプリングにより復帰させ、これにより回動係止爪を内周歯型に噛合させることでロック状態が得られるようにし、かくして指先等による係止用操作子の簡易な押入と離脱操作により、アームの回動角度を簡易迅速に実施できるようにするのが、第２の目的である。
【０００８】
さらに請求項１では上記の復帰用スプリングを、停止用操作子と回動停止用半割円盤の第１軸筒部との間にあって、外部から跨装できるようにして、組み立て作業を容易にするだけでなく、跨装作業後にあって前記第１軸筒部に、着脱被嵌部材におけるリング部を被嵌してやるだけで、当該着脱被嵌部材のカバー部によって、上記の復帰用スプリングを包被させてしまい、このことによって使用中に復帰スプリングが離脱してしまうといったことのないようにし、不本意なる故障の発生をも皆無にしようとするのが第３の目的である。
【０００９】
そして請求項２にあっては、上記請求項１において第１軸筒部に被嵌する着脱被嵌部材を合成樹脂製とすることで、着脱作業を容易にし、また第１軸筒部についても、これを全部金属製とはせずに、その第１内装押当面から第１軸口にわたって形成の表皮層につき、これらを選択的に合成樹脂材により形成することで、第１、第２回動体の回動を円滑にして騒音なしに行い、また金属製の場合における不本意な摩耗の問題についても、これを改善可能にしようとするのが、その目的である。
【００１０】
【課題を解決するための手段】
本発明は、上記の目的を達成するため、請求項１にあっては回動停止用半割円盤から第１外向突設アームを延出してなる第１回動体と、回動用半割円盤から第２外向突設アームを延出してなる第２回動体とを具備し、上記回動停止用半割円盤の第１開口端面に、前記回動用半割円盤の第２開口端面を突き合わせ状態として、第１回動体の第１軸口と第２回転体の第２軸口に跨装した回動軸により、当該第１、第２回動体を回動自在なるよう軸承し、上記第１回動体の回動停止用半割円盤と第２回動体の回動用半割円盤との間にあって、第１回動体に対して第２回動体を所望のアーム回動角度に調節自在とした回動角度調節機構を備えてなるアームの回動角度調節装置において、上記の回動角度調節機構が、第２回動体における回動停止用半割円盤に刻設した内周歯型と、第１回動体における回動停止用半割円盤の第１周壁に開設した通口にあって、径方向へ押入自在にして抜け止め状態で嵌装した停止用操作子と、当該停止用操作子と同上回動停止用半割円盤の前記第１軸口を有する第１軸筒部との間に跨装した復帰要スプリングと、上記の停止用操作子が復帰用スプリングにより押圧されている状態では、前記回動停止用半割円盤に刻設した前記内周歯型に係止して第２回動体の回動が阻止自在であり、かつ上記停止用操作子の押入操作で上記の係止を解除自在とした回動係止爪とを具有すると共に、前記した第１軸口の開口された第１軸筒部に被嵌自在としたリング部と、当該リング部に連設されて、前記の復帰用スプリングが、第１軸筒部と上記した停止用操作子との間にあって配装されることにより、当該復帰用スプリングを外れ止め状態に被装したカバー部とからなる着脱被嵌部材とによって構成されていることを特徴とするアームの回動角度調節装置を提供しようとしている。
【００１１】
そして請求項２にあっては、上記の請求項１において着脱被嵌部材と、第２軸口の開口された第２軸筒部における第２内装押当面が摺動自在である第１軸筒部の第１内装押当面から、第１軸口にわたって、形成の表皮層との一方または双方が、合成樹脂材により形成されていることを、その内容としている。
【００１２】
【発明の実施の形態】
本発明について図１ないし図７により以下これを詳記すると、回動停止用半割円盤１ａから第１外向突設アーム１ｂを延出してなる第１回動体１と、回動用半割円盤２ａから第２外向突設アーム２ｂを延出してなる第２回動体とを具備している。
そして従来例と同様にして図１（Ｃ）により理解される通り、上記した回動停止用半割円盤１ａにおける第１開口端面１ｃに対して、前記した回動用半割円盤２ａの第２開口端面２ｃを突き合わせ状態として、前記した第１回動体１の第１軸口１ｄと、第２回転体２の第２軸口２ｄとに跨装嵌合した回動軸３によって、第１回転体１と第２回動体２とを互いに回動可能なるよう軸承させている。
【００１３】
そして、これまた従来例と同様にして上記した第１回動体１における回動停止用半割円盤１ａと、第２回動体２における回動用半割円盤２ａとの間にあって、第１回転体１と第２回動体２を所望のアーム回動角度となるように調節自在とした回動角度調節機構４が介設されており、本発明ではこの回動角度調節機構４の構成に関して、従来にない特徴を具有している。
ここで図示例では、上記第１軸口１ｄが回動停止用半割円盤１ａの軸心から突設した第１軸筒部１ｅに円孔状に形成されており、第２軸口２ｄは横断面が円形ではなく、図２にあって破線で示されている通り小判状に形成されているが、もちろん全長にわたり円孔状としてもよい。
【００１４】
従って前記の回転軸も円柱状のものを使用してもよいが、図示例では図７に明示の通り頭部３ａから円柱基部３ｂが連設され、さらに当該円柱基部３の先端側には、その対辺部にあって切欠面３ｃ、３ｃを形成するとこで、小判状の横断面をもった回り止め先端部３ｄが形成されている。
このため図１（Ｃ）によって理解される通り、上記した回転軸３の頭部３ａは回動停止用半割円盤１ａの第１底壁外面１ｆに押当し、円柱基部３ｂは第１軸口１ｄに嵌装されているが、回り止め先端部３ｄは回動用半割円盤２ａの第２軸口２ｄに回り止め状態にて係嵌されている。ここでこの回り止め先端部３ｄには図７の（Ｂ）により明示されている螺孔３ｅが刻設されており、これに図１（Ｃ）に示されている通り、回転軸用止螺子３ｆが螺着されることで、その螺子頭部３ｇが、回動用半割円盤２ａにおける軸心から突設した第２軸筒部２ｅの第２底壁外面２ｆに締着され、これにより回転軸３が装填されるようにしてある。
このため図示例では第２回転体２を回動させることで、回転軸３も一緒に回動するが、この際第１回転体１は非回転の状態となるようにしたものが例示されている。
【００１５】
ここで前記した回動角度調節機構４について以下説示すると、前説の第２回動体２における回動用半割円盤２ａにあって、その第２周壁２ｇに周設された内周歯型４ａと、第１回動体１における回動停止用半割円盤１ａの第１周壁１ｇに開設された通口１ｈにあって、径方向へ押入自在にして、かつ外方へは抜け止め状態で嵌装されている停止用操作子４ｂと、さらにこの停止用操作子４ｂと回動停止用半割円盤１ａにおける第１軸筒部１ｅとの間に跨装介入した復帰用スプリング４ｃとを具有している。
【００１６】
さらに上記した停止用操作子４ｂには、復帰用スプリング４ｃにより押圧されている状態下であると、前記回動用半割円盤２ａに刻設の内周歯型４ａに着脱自在なるよう係止することで、第１回動体１に対する回動が阻止され、かつ上記停止用操作子４ｂを外側から径方向へ押入することで、復帰用スプリング４ｃを圧縮することにより、上記の係止状態が解除自在となる回動係止爪４ｄが、第１開口端面１ｃから第２回動体２側へ向けて突設されている。
【００１７】
ここで図１（Ｃ）に例示の停止用操作子４ｂは、通口１ｈに嵌装された押し釦部４ｅと、これにより突設した回動係止爪４ｄが外向きに突設した一対の爪片４ｆ、４ｆを離間突設することで、図１（Ｂ）のように当該爪片４ｆ、４ｆが内周歯型４ａに対して噛合自在となるよう構成されている。また、前記した復帰用スプリング４ｃの一端側は、上記押し釦部４ｅに形成された収納空所４ｇに嵌挿されており、他端側は前記の第１軸筒部１ｅにおける周側壁に形成した凹平面４ｈに押当させてある。
【００１８】
さらに本発明では上記の復帰用スプリング４ｃにつき、これを既設の如く停止用操作子４ｂと第１軸筒部１ｅとの間に装填することが容易に行い得るだけでなく、当該復帰用スプリング４ｃが不本意に離脱してしまうことのないようにするため、以下に示す如き構成をもった着脱被嵌部材４ｉが用意されている。
これは図６に明示されており、第１軸筒部１ｅに被嵌自在であるリング部４ｊと、当該リング部４ｊの径方向へ連設されたカバー部４ｋとからなっており、図示例ではリング部４ｊがカバー部４ｋとの連設箇所にあって弦部４ｍが形成され、これにより第１軸筒部１ｅに嵌合した状態で不本意に回動してしまうことのないようにしてある。なお当該着脱被嵌部材４ｉは合成樹脂製とするのが望ましい。
【００１９】
そして上記のカバー部４ｋは復帰用スプリング４ｃ側に向けカバー開口部４ｎを有して門型に形成されており、従ってこのカバー部４ｋにより復帰用スプリング４ｃが被嵌されることで、当該復帰用スプリング４ｃが外れ止め状態を保有し得ることとなる。
従ってこの着脱被嵌部材４ｉのない状態で、通口１ｈに嵌装した停止用操作子４ｂの収納空所４ｇに、復帰用スプリング４ｃの一端を押入装填した後、他端を第１軸筒部１ｅに弾持させるといった操作を行い得ることとなり、その後に着脱被嵌部材４ｉのリング部４ｊを嵌合することで、カバー開口部４ｎから復帰用スプリング４ｃをカバー部４ｋに内装でき、かくして使用中の外力で復帰用スプリング４ｃが外れてしまうといったことを阻止することが可能となる。
【００２０】
さらに、請求項２により明示した通り、上記の着脱被嵌部材４ｉは既説の如く合成樹脂製とするのが望ましく、さらに図１（Ｃ）により理解される通り第１回動体１における第１軸筒部１ｅの第１内装押当面１ｉから、第１軸口１ｄにわたって合成樹脂製とした表皮層１ｊを形成しておくのがよい。このことで当該表皮層１ｊに第２軸筒部２ｅの第２内装押当面２ｈが押当摺接することになるので、不本意な騒音もなく金属製の第２軸筒部１ｅが早期に摩耗してしまうこともなくなり、また回動軸３と第１軸口１ｄとの間における摺動についても上記同様の効果を期待することができる。
また図示例では同上第１軸口１ｄから第１底壁外面１ｆにわたり、これまた合成樹脂製の表皮層１ｋを形成するようにしてあり、さらに上記した表皮層１ｊと第２軸筒部２ｅの第２内装押当面２ｈとの間には、硬質金属製であり第２回転体２と共回りするよう回動軸３の回り止め先端部３ｄに被嵌された座金板４ｐが介装され、表皮層１ｊと第２軸筒部２ｅにおける第２内装押当面２ｈとの摩耗損をも阻止しようとしている。
【００２１】
【発明の効果】
本願請求項１は上記のように構成されているから、第１回動体側における復帰用スプリングによって押圧される停止用操作子の回動係止爪が、しっかりと第２回動体側の内周歯型に噛合係嵌状態となり、従って可成りの外力が付加されても、当該噛合状態が離脱してしまうことなく、従って充分に大きな外力に対しても、不本意に第１、第２回動体のアーム回動角度が変動するといったことがなく、高い信頼性を保有させることができる。
しかも、上記した停止用操作子を指先で押入するだけの簡易な操作によって第１、第２回動体相互の噛合状態を解除できることから、前同アーム回動角度を変更したいときも、停止用操作子の押入状態を保持したまま第１回動体に対して第２回動体を回動し、所望のアーム回動角度を得たならば、停止用操作子の押入を解除すればよく、従って迅速、簡易な操作だけで目的を達成することが可能となる。
【００２２】
さらに当該発明によるときは、組立作業に際し停止用操作子と第１回転体との間に復帰用スプリングを圧縮させながら装填することができるだけでなく、さらに第１回転体に着脱被嵌部材を係嵌するだけの作業で、復帰用スプリングの不本意な離脱を防止することができるので、使用中に復帰用スプリングが飛び出してしまい、スタンド等が折れ曲がってしまうといった危険を確実に防止することが可能となる。
【図面の簡単な説明】
【図１】本発明に係るアームの回動角度調節装置を示し、（Ａ）はその平面図、（Ｂ）は（Ａ）のＢ−Ｂ線矢視縦断正面図、（Ｃ）は（Ａ）のＣ−Ｃ線矢視縦断側面図である。
【図２】同上装置の正面図である。
【図３】図１（Ｂ）にあって、停止用操作子を押入した状態を示す前同矢視縦断正面図である。
【図４】図２のＩＶ−ＩＶ線縦断要部正面図である。
【図５】図１（Ｂ）にあって、停止用操作子を押入したまま第１回動体を９０°だけ回動した状態を示した前同矢視縦断正面図である。
【図６】前同装置の一部材である停止用操作子を示し、（Ａ）はその平面図、（Ｂ）は右側面図、（Ｃ）は正面図を示す。
【図７】同上装置の一部材である回動軸を示し、（Ａ）はその正面図、（Ｂ）は平面図であり、（Ｃ）は当該回動軸の回り止め先端部が係嵌される第２軸筒部を示した平面図である。
【図８】従来例であるアームの回動角度調節装置を具有したスタンドを示す取付状態における正面図である。
【図９】前図におけるアームの回動角度調節装置を示す正面図である。
【図１０】（Ａ）は図９におけるＸ−Ｘ線矢視縦断側面図で、（Ｂ）はその部分拡大図である。
【符号の説明】
１    第１回動体
１ａ  回動停止用半割円盤
１ｂ  第１外向突設アーム
１ｃ  第１開口端口
１ｄ  第１軸口
１ｅ  第１軸筒部
１ｇ  第１周壁
１ｈ  通口
１ｉ  第１内装押当面
１ｊ  表皮層
１ｋ  表皮層
２    第２回動体
２ａ  回動用半割円盤
２ｂ  第２外向突設アーム
２ｃ  第２開口端面
２ｄ  第２軸口
２ｅ  第２軸筒部
２ｈ  第２内装押当面
３    回動軸
４    回動角度調整機構
４ａ  内周歯型
４ｂ  停止用操作子
４ｃ  復帰用スプリング
４ｄ  回動係止爪
４ｉ  着脱被嵌部材
４ｊ  リング部
４ｋ  カバー部
【図１】
0003612001.tif 000002
【図２】
0003612001.tif 000003
【図３】
0003612001.tif 000004
【図４】
0003612001.tif 000005
【図５】
0003612001.tif 000006
【図６】
0003612001.tif 000007
【図７】
0003612001.tif 000008
【図８】
0003612001.tif 000009
【図９】
0003612001.tif 000010
【図１０】
0003612001.tif 000011